(57)【要約】【課題】インストルメントパネル本体を共通利用しつつ、見映えの悪化抑制と、仕様分け部品のインストルメントパネル本体からの脱落を防止した強固な固定とが可能なインストルメントパネル本体への仕様分け部品取り付け構造を提供する。【解決手段】インストルメントパネル本体１Ｈに設けられた開口１０に、複数の仕様分け部品３，５，８の中から選択された任意の一つの仕様分け部品３，５，８が挿入されて取り付けられ、仕様分け部品３，５，８の上下両端部に上側取り付け部と下側取り付け部が各別に設けられ、開口１０の周縁部に上側被取り付け部と下側被取り付け部が各別に設けられて、上側取り付け部が上側被取り付け部に、下側取り付け部が下側被取り付け部に取り付けられ、位置決め手段が設けられ、上側取り付け部１５Ｊは下側取り付け部１５Ｋよりも乗員から離れて位置している。【選択図】図１
2018024274.tif 000002
【特許請求の範囲】
【請求項１】
インストルメントパネル本体に設けられた開口に、複数の仕様分け部品の中から選択された任意の一つの仕様分け部品が挿入されて取り付けられているインストルメントパネル本体への仕様分け部品取り付け構造であって、
前記仕様分け部品は、上端部に上側フランジを、下端部に下側フランジを、左側の端部に左側フランジを、右側の端部に右側フランジを備え、
前記上側フランジの裏面と前記下側フランジ裏面に上側取り付け部と下側取り付け部が各別に設けられ、
前記インストルメントパネル本体の開口の上下一対の周縁部に上側被取り付け部と下側被取り付け部が各別に設けられて、
前記上側取り付け部が前記上側被取り付け部に、前記下側取り付け部が前記下側被取り付け部に取り付けられており、
前記インストルメントパネル本体の開口に対して前記仕様分け部品を左右方向に位置決めする位置決め手段が設けられ、
前記位置決め手段は、前記インストルメントパネル本体の開口の左右一対の周縁部に各別に設けられた左右一対の位置決め部と、前記仕様分け部品の左側フランジの裏面と右側フランジの裏面に各別に設けられた左右一対の被位置決め部とから成り、
前記仕様分け部品の上側取り付け部は、前記下側取り付け部よりも乗員から車両前方側に離れて位置し、
車両前後方向における前記下側取り付け部と前記上側取り付け部の間を前記インストルメントパネル本体の面が上方から覆っているインストルメントパネル本体への仕様分け部品取り付け構造。
【請求項２】
前記仕様分け部品は、前記左右一対の被位置決め部側から前記開口の奥側に各別に延びる左右一対の奥行面を備えている請求項１記載のインストルメントパネル本体への仕様分け部品取り付け構造。
【請求項３】
前記複数の仕様分け部品のうちの所定の前記仕様分け部品は、仕様分け部品本体部と、前記仕様分け部品本体部を取り囲む外側ケースとを別体に備え、
前記外側ケースは、前記奥行面をそれぞれ備えた左右一対の側壁と、前記左右一対の側壁の上端部同士を連結する上壁と、前記左右一対の側壁の下端部同士を連結する下壁とを備え、
前記上側フランジと下側フランジと左側フランジと右側フランジは、前記上壁と前記下壁と左側の前記側壁と右側の前記側壁の車室内側の端部から、前記開口の外側に対応する方向に互いに連なった状態で張り出し、
前記左右一対の側壁に各別に設けられた左右一対の被係合部に、前記仕様分け部品本体部の左右の側部に各別に設けられた左右一対の係合部が各別に係合し、
一方の前記係合部が一方の前記被係合部に係合し、かつ、他方の前記係合部が他方の前記被係合部から離間した状態で、前記仕様分け部品本体部が、前記一方の被係合部を中心として前記他方の被係合部側に回転して、前記他方の係合部が前記他方の被係合部に係合するように構成されており、
前記他方の係合部が形成された仕様分け部品の側部の側面は、前記仕様分け部品本体部の回転方向先端側の前記側面の一端の回転軌跡内に位置するように形成されている請求項２記載のインストルメントパネル本体への仕様分け部品取り付け構造。
【発明の詳細な説明】
【技術分野】
【０００１】
本発明は、インストルメントパネル本体への仕様分け部品取り付け構造に関する。
【背景技術】
【０００２】
自動車の内装部品である乗員の前方のインストルメントパネルは、インストルメントパネル本体と、インストルメントパネル本体に取り付けられる部品とから構成されることが多い。
前記部品としては、意匠（デザイン）を構成するガーニッシュ（カバー）、車内環境を整える空調部品（ルーバー）、乗員の持ち物を収納する収納部品(ポケット)などがある。車両購入者（ユーザー）は、これらの部品の中から好みの部品を選択することで、好みの車両の内装空間にすることができる。
しかし、このように選択される部品によって、インストルメントパネル本体を含むインストルメントパネル全体を変えなければならなくなると次の（１），（２）の問題が生じる。
（１）  インストルメントパネル本体の成形金型が多くなってしまう、
（２）  インストルメントパネルの一部だけでなく、インストルメントパネル全体の意匠性が変わってしまう。そのため、ユーザーが、この機種はこういったデザインだというグローバルデザインの印象が薄れ、強いては、ブランドイメージの構築に結び付けることができない。
これらの問題を解消するために、インストルメントパネル本体を共通にし、インストルメントパネル本体に、複数の部品の中から選択された任意の一つの部品が取り付けられる構造がある。この構造では、取り付けられる部品に共通して必要とされる要件だけでなく、部品ごとに異なる要件も満足しなければならない。
各部品に共通して必要とされる要件として次の（１）がある。
（１）  前記部品がインストルメントパネル本体から脱落しないこと。インストルメントパネル本体の隙間（見切り）が大きくならないなど見映えが悪化しないこと。
部品ごとに必要とされる要件として次の（２）〜（４）がある。
（２）  前記部品がガーニッシュ（カバー）である場合、組み付け時にガーニッシュが周辺部品を傷つけないこと。
（３）  前記部品が空調部品である場合、例えば、ルーバー（空調部品の一例）のフィンを操作するときに、フィンがルーバー本体から外れたりガタついたりしないこと。送風する風の向きが設計した向きになること。ルーバーの背後からルーバー側に回す部品（ダクト）などの組み付け時にルーバーが動かない（逃げない）こと。
（４）  前記部品が収納部品である場合、収納物が飛び跳ねることのないように安定した固定状態を確保できること。乗員が収納部品に手を伸ばして触れた時に、収納部品がたわむことのない安定した状態を確保できること。小銭やカードなどが周辺部品との隙間に入り込むことがないこと。
特許文献1には、インストルメントパネルに配設され、収納開口を有するラック本体を備えた自動車用フリーラックにおいて、収納開口を開閉するドアを有しない標準仕様と収納開口を開閉するドアを有するドア仕様とを選択可能とする構造が開示されている。
【先行技術文献】
【特許文献】
【０００３】
【特許文献１】特開２００４‐２６１０４号公報
【発明の概要】
【発明が解決しようとする課題】
【０００４】
特許文献１の技術では、土台であるラック本体は共通であるが、前記ドアが有るか無いかの構成となっているだけであり、土台に取り付けられる部品ごとに求められている要求が異なっている場合に対応することができない。
本発明の目的は、インストルメントパネル本体を共通利用しつつ、見映えの悪化抑制と、仕様分け部品のインストルメントパネル本体からの脱落を防止した強固な固定とが可能なインストルメントパネル本体への仕様分け部品取り付け構造を提供する点にある。
【課題を解決するための手段】
【０００５】
本発明の特徴は、
インストルメントパネル本体に設けられた開口に、複数の仕様分け部品の中から選択された任意の一つの仕様分け部品が挿入されて取り付けられているインストルメントパネル本体への仕様分け部品取り付け構造であって、
前記仕様分け部品は、上端部に上側フランジを、下端部に下側フランジを、左側の端部に左側フランジを、右側の端部に右側フランジを備え、
前記上側フランジの裏面と前記下側フランジ裏面に上側取り付け部と下側取り付け部が各別に設けられ、
前記インストルメントパネル本体の開口の上下一対の周縁部に上側被取り付け部と下側被取り付け部が各別に設けられて、
前記上側取り付け部が前記上側被取り付け部に、前記下側取り付け部が前記下側被取り付け部に取り付けられており、
前記インストルメントパネル本体の開口に対して前記仕様分け部品を左右方向に位置決めする位置決め手段が設けられ、
前記位置決め手段は、前記インストルメントパネル本体の開口の左右一対の周縁部に各別に設けられた左右一対の位置決め部と、前記仕様分け部品の左側フランジの裏面と右側フランジの裏面に各別に設けられた左右一対の被位置決め部とから成り、
前記仕様分け部品の上側取り付け部は、前記下側取り付け部よりも乗員から車両前方側に離れて位置し、
車両前後方向における前記下側取り付け部と前記上側取り付け部の間を前記インストルメントパネル本体の面が上方から覆っている点にある。
【発明の効果】
【０００６】
インストルメントパネル本体を共通利用しつつ、見映えの悪化抑制と、仕様分け部品のインストルメントパネル本体からの脱落を防止した強固な固定とが可能なインストルメントパネル本体への仕様分け部品取り付け構造を提供することができる。
【図面の簡単な説明】
【０００７】
【図１】インストルメントパネル本体への仕様分け部品取り付け構造の分解斜視図
【図２】（ａ）はインストルメントパネル本体にルーバーを取り付けた場合の図１のＢ−Ｂ断面図、（ｂ）はインストルメントパネル本体にポケットを取り付けた場合の図１のＢ−Ｂ断面図
【図３】（ａ）はインストルメントパネル本体にルーバーを取り付けた場合の図１のＡ−Ａ断面図、（ｂ）はインストルメントパネル本体にポケットを取り付けた場合の図１のＡ−Ａ断面図
【図４】（ａ）は仕様分け部品本体部（ルーバー本体）の外側ケースへの取り付け方法を示す断面図、（ｂ）は図４（ａ）のＸ部の拡大図
【発明を実施するための形態】
【０００８】
以下、本発明を実施するための形態を図面に基づいて説明する。
図１，図２（ａ），図２（ｂ）に示すように、インストルメントパネル１の本体部であるインストルメントパネル本体１Ｈに開口１０が設けられている。前記開口１０には、複数の仕様分け部品３，５，８の中から選択された任意の一つの仕様分け部品３，５，８が挿入されて取り付けられている。
【０００９】
詳しくは、仕様分け部品３，５，８の上下両端部に上側取り付け部１５Ｊと下側取り付け部１５Ｋが各別に設けられ、インストルメントパネル本体１Ｈの開口１０の上下一対の周縁部に上側被取り付け部１６Ｊと下側被取り付け部１６Ｋが各別に設けられている。そして、上側取り付け部１５Ｊが上側被取り付け部１６Ｊに、下側取り付け部１５Ｋが下側被取り付け部１６Ｋに取り付けられている。
【００１０】
図３（ａ），図３（ｂ）に示すように、インストルメントパネル本体１Ｈの開口１０に対して仕様分け部品３，５，８を左右方向に位置決めする位置決め手段１９が設けられている。図２（ａ），図２（ｂ）に示すように、仕様分け部品３，５，８の上側取り付け部１５Ｊは、下側取り付け部１５Ｋよりも乗員から車両前方側Ｆｒに離れて位置する。また、車両前後方向における下側取り付け部１５Ｋと上側取り付け部１５Ｊの間をインストルメントパネル本体１Ｈの面９Ｍが上方から覆っている。
【実施例】
【００１１】
図１に示すように、前記開口１０は、フロントピラー２の近くに位置するインストルメントパネル本体１Ｈの車幅方向の端部の縦壁２４に左右方向に長い長方形状に形成されている。仕様分け部品３，５，８としては、意匠を構成するカバー３（ガーニッシュ）、車内環境を整えるルーバー５（空調部品）、乗員の持ち物を収納するポケット８（収納部品）などがある。
【００１２】
本発明の構成によれば、インストルメントパネル本体１Ｈを共通利用しつつ、見映えの悪化抑制と、仕様分け部品３，５，８のインストルメントパネル本体１Ｈからの脱落を防止した強固な固定とが可能になる。
【００１３】
インストルメントパネル本体１Ｈを共通利用して、任意の一つの仕様分け部品３，５，８をインストルメントパネル本体１Ｈに取り付け可能な構成にした場合、どの仕様分け部品３，５，８にも必要とされる要件の一つに見映えの悪化の抑制がある。
【００１４】
この点に関し、本発明においては、位置決め手段１９により仕様分け部品３，５，８がインストルメントパネル本体１Ｈの開口１０に対して左右方向に位置決めされる。従って、いずれの仕様分け部品３，５，８に対しても、左右の見切りライン（車両の上下方向に形成される隙間線）を所望の通りに管理することができる。
【００１５】
左右の見切りラインは、インストルメントパネル本体１Ｈの意匠面の凹凸による影響を、上下の見切りライン（車幅方向に形成されるライン）よりも受けやすい。つまり、左右の見切りラインは隙間管理が難しい部分であり、乗員の目がよりつきやすい部分であるが、本発明は上記構成にしていることで、仕様分け部品３，５，８が変わっても、同様の隙間管理をすることができ、同様の見切りラインを得ることができる。
【００１６】
前記仕様分け部品３，５，８のインストルメントパネル本体１Ｈからの脱落の要因として次の二つの力がある。乗員が差し延ばした手による仕様分け部品３，５，８への操作力（荷重）と、衝突時や急ブレーキ時などに車両前方側Ｆｒから仕様分け部品３，５，８に加わる力（荷重)である。本発明の上記構成はどちらの力に対しても有効な構成である。
【００１７】
前記操作力については、仕様分け部品３，５，８がルーバー５の場合は、ルーバー５のフィン操作部３８に乗員の手がアクセスした時にルーバー５に加わる荷重である。仕様分け部品３，５，８がポケット８の場合は、乗員が収納物をポケット８に収納した時やポケット８から取り出す時にポケット８に加わる荷重である。仕様分け部品３，５，８がカバー３の場合は、乗員がカバー３に手をのせた時にカバー３に加わる荷重である。
【００１８】
本発明では、仕様分け部品３，５，８の上側取り付け部１５Ｊと下側取り付け部１５Ｋが、インストルメントパネル本体１Ｈの開口１０の上側被取付け部１６Ｊと下側被取付け部１６Ｋに各別に取り付けられている。従って、本発明の構成は上下方向の荷重に対して耐性を有する。
【００１９】
その上で、これらの仕様分け部品３，５，８は、乗員の肩よりも下側に設定されることが多い。元々、インストルメントパネル本体１Ｈの面９Ｍが乗員の目よりも低い位置に設定されており、その面９Ｍより下方に設定されることが多い仕様分け部品３，５，８は乗員の肩より下側に配置される。乗員が手を伸ばした時には、乗員の肩よりも下側に配置される仕様分け部品３，５，８に乗員から下向きの荷重が負荷される。
【００２０】
そのため、上側取り付け部１５Ｊと上側被取り付け部１６Ｊ、及び、下側取り付け部１５Ｋと下側被取り付け部１６Ｋで前記荷重を受ける。そして、下側取り付け部１５Ｋと下側被取り付け部１６Ｋは、前記荷重を、上側取り付け部１５Ｊと上側被取り付け部１６Ｊよりも乗員側で受け止める。その結果、荷重に対する耐性が高められる。
【００２１】
車両前方側Ｆｒから加わる力は、いずれの仕様分け部品３，５，８においても、仕様分け部品３，５，８が車両後方側Ｒｒ向かう(脱落しようとする)荷重である。本発明の構成では、上側において、仕様分け部品３，５，８とインストルメントパネル本体１Ｈの面９Ｍ（この面９Ｍを備えたインストルメントパネル本体１Ｈの上壁９）の二つで受けることになるため荷重に対する耐性が高められる。
【００２２】
仕様分け部品３，５，８は、乗員の目(頭部)側を向いていることが多い。つまり、図２（ａ），図２（ｂ）に示すように、仕様分け部品３，５，８は車両後方側Ｒｒの部分が上方に位置する後ろ上がりに形成されている。本発明の構成であると、仕様分け部品３，５，８がインストルメントパネル本体１Ｈから脱落しかけた場合、仕様分け部品３，５，８は、下側被取り付け部１６Ｋを中心とした回転軌跡を描く。
【００２３】
この際、仕様分け部品３，５，８がインストルメントパネル本体１Ｈの上壁９と当接することで、インストルメントパネル本体１Ｈから仕様分け部品３，５，８が脱落しにくくなる。
【００２４】
図１に示すように、仕様分け部品としてのルーバー５には、後述するように、開閉する横フィン１７と縦フィン１８が設けられている。このうち、横フィン１７は車幅方向に長く形成され、その横フィン１７がルーバー５の左右の両側部に回転軸を介して回転自在に支持されている。この横フィン１７に触れる乗員からの荷重はルーバー５の左右に分散され、前記上側取り付け部１５Ｊと上側被取り付け部１６Ｊ、及び、下側取り付け部１５Ｋと下側被取り付け部１６Ｋに上下方向の負荷がかかることを抑制する。従って、ルーバー５及び横フィン１７の外れ防止にもつながっている。
【００２５】
［位置決め手段１９の構成の一態様］
位置決め手段１９は次のように構成されていてもよい。
図３（ａ），図３（ｂ）に示すように、インストルメントパネル本体１Ｈの開口１０の左右一対の周縁部２５に左右一対の位置決め部３０が各別に設けられ、仕様分け部品３，５，８の左右両側部に左右一対の被位置決め部３１が各別に設けられている。前記位置決め手段１９は、左右一対の位置決め部３０と左右一対の被位置決め部３１とから成る。前記仕様分け部品３，５，８は、左右一対の被位置決め部３１側から開口１０の奥側に各別に延びる左右一対の奥行面１１Ｍ，１２Ｍ（２０Ｍ，２１Ｍ）を備えている。
【００２６】
これにより、仕様分け部品３，５，８の強度が増し、仕様分け部品３，５，８の左右での仕様分け部品３，５，８とインストルメントパネル本体１Ｈとの合わせ(隙間)が安定し、見映えの悪化をより抑制することができる。
【００２７】
仕様分け部品３，５，８の左右方向の位置が規制されているため、仕様分け部品３，５，８の左右方向での位置合わせは隙間管理ができている。しかしながら、長期間使用していると、仕様分け部品３，５，８が変形等の影響も受け、隙間が徐々に広がったり、局所的に隙間の大小が生じたりしてしまう可能性がある。
【００２８】
これに対し、本発明によれば、仕様分け部品３，５，８が奥行面１１Ｍ，１２Ｍ（２０Ｍ，２１Ｍ）を備えていることで、仕様分け部品３，５，８に加わる荷重に対して突っ張る方向の支持状態を安定させることができる。そして、前記奥行面１１Ｍ，１２Ｍ（２０Ｍ，２１Ｍ）が左右一対の被位置決め部３１を支えるため、仕様分け部品３，５，８の位置規制状態を長期的に確保することができる。
【００２９】
［仕様分け部品３，５、８の構成の一態様］
前述のように、仕様分け部品３，５，８としては、カバー３、ルーバー５、ポケット８があり（これら以外の部品であってもよい）、ユーザーが、これらの部品の中から好みの部品を選択することで、好みの車両内装空間にすることができる。カバー３、ルーバー５、ポケット８は、それぞれ一例として次のように構成することができる。
【００３０】
［ルーバー５］
図１に示すように、ルーバー５は、ルーバー本体６（仕様分け部品本体部に相当）と、ルーバー本体６を取り囲む外側ケース７とを別体に備えている。
【００３１】
［ルーバー本体６の構造］
前述のように、ルーバー本体６は、長方形状の周壁２６内に、車幅方向に長い横フィン１７と、上下方向に長い縦フィン１８とを備えている。図１，図３（ａ），図４（ａ）に示すように、中央の縦フィン１８の車室内側の端部に、乗員が操作するフィン操作部３８が形成されている。ルーバー本体６の左右の側部３６，３７には、左右一対の凹状の係合部４０が各別に設けられている。この係合部４０は、ルーバー本体６の幅方向外側（左右外方側）に向かって開口している（図４（ａ），図４（ｂ）参照）。
【００３２】
［外側ケース７の構造］
図１，図３（ａ）に示すように、外側ケース７は、左右一対の奥行面２０Ｍ，２１Ｍを各別に備えた左右一対の側壁２０，２１を備えている。また、外側ケース７は、左右一対の側壁２０，２１の上端部同士を連結する上壁２２と、左右一対の側壁２０，２１の下端部同士を連結する下壁２３とを備えている。図２（ａ），図３（ａ）に示すように、外側ケース７は、ベントダクト５０の拡径した接続端部５１に嵌合（内嵌）して連通接続している。
【００３３】
そして、上壁２２と下壁２３と左側の側壁２０と右側の側壁２１の車室内側の端部から開口１０の外側に対応する方向に、上側フランジ７Ｆ１と下側フランジ７Ｆ２と左側フランジ７Ｆ３と右側フランジ７Ｆ４が互いに連なった状態で張り出している。
【００３４】
図２（ａ）に示すように、前記上側取り付け部１５Ｊと下側取り付け部１５Ｋは、上側フランジ７Ｆ１の裏面と下側フランジ７Ｆ２の裏面に各別に設けられている。これらの上側取り付け部１５Ｊと下側取り付け部１５Ｋは、上側フランジ７Ｆ１と下側フランジ７Ｆ２の裏面から突出する係合爪状に形成されている。つまり、上側取り付け部１５Ｊと下側取り付け部１５Ｋは、インストルメントパネル本体１Ｈの開口１０の上側被取付け部１６Ｊと下側被取付け部１６Ｋに各別に係合取り付けされる。
【００３５】
図３（ａ）に示すように、前記左右一対の被位置決め部３１は左側フランジ７Ｆ３の裏面と右側フランジ７Ｆ４の裏面に各別に設けられている。すなわち、左側フランジ７Ｆ３と右側フランジ７Ｆ４の周縁部に、前記開口１０の奥側に突出する突出片３２が設けられ、この突出片３２に係合孔３３が形成されて前記被位置決め部３１が構成されている。
【００３６】
図３（ａ），図３（ｂ）に示すように、インストルメントパネル本体１Ｈの開口１０の左右一対の周縁部２５に各別に設けられた左右一対の位置決め部３０は、外側ケース７の外側から前記係合孔３３に挿入係合される凸部３５を備えている。さらに、前記位置決め部３０は、前記突出片３２を開口１０の外側から受け止める位置決め壁３４を備えている。前記突出片３２は、インストルメントパネル本体１Ｈの開口１０の周縁部２５に設けられた位置決め壁３４に開口１０の内側から重なっている。つまり、突出片３２は、位置決め壁３４に開口１０の外側から受け止められて左右方向に位置決めされている。
【００３７】
図３（ａ），図４（ａ）に示すように、前記左右一対の側壁２０，２１の内面に各別に設けられた左右一対の被係合部２９に、ルーバー本体６の左右の側部３６，３７に各別に設けられた左右一対の凹状の係合部４０が各別に係合している。係合部４０は被係合部２９に次のようにして係合する。
【００３８】
図４（ａ）に示すように、一方の係合部４０が一方の被係合部２９に係合し、かつ、他方の係合部４０が他方の被係合部２９から離間している。この状態で、ルーバー本体６が、一方の被係合部２９を中心として（中心は図４（ａ）の符号Ｏ）他方の被係合部２９側に回転して、他方の係合部４０が他方の被係合部２９に係合する。
【００３９】
図４（ｂ）に示すように、前記他方の係合部４０が形成されたルーバー本体６の側部３７の側面３７Ｍは、ルーバー本体６の回転方向先端側の一端３７Ｍ１の回転軌跡Ｒ内に位置するように形成されている。つまり、前記回転軌跡Ｒ外に位置するルーバー本体６の側部の部分３７Ｎが削除されている。
【００４０】
この構成によれば、外側ケース７の左側フランジ７Ｆ３と右側フランジ７Ｆ４は上下方向でインストルメントパネル本体１Ｈに取り付けられている中で、外側ケース７は、上下方向とは向き違いの左右方向の係合構造を介してルーバー本体６を支持する。従って、ルーバー本体６に加わる荷重でルーバー５の全体が脱落してしまうことを防止することができ、さらに、組み付け時のルーバー本体６の側部３７による意匠面の引っ掛け傷の発生を抑制することができて、見映えの悪化抑制に結び付かせることができる。
【００４１】
［カバー３の構成の一態様］
図１に示すように、カバー３は、カバー本体２７（仕様分け部品本体部に相当）と、カバー本体２７を取り囲む外側ケース７とを別体に備えている。カバー本体２７は、横長の長方形状に形成されている。前記外側ケース７は、前記ルーバー５の外側ケース７と同一構造である。カバー本体２７の左右の側部４１，４２には、左右一対の凹状の係合部４０が各別に設けられている。
【００４２】
前記左右一対の凹状の係合部４０は、ルーバー本体６の左右の側部３６，３７に各別に設けられた左右一対の凹状の係合部４０と同一構造である。左右一対の係合部４０は、外側ケース７の左右一対の側壁２０，２１の内面に各別に設けられた左右一対の被係合部２９（図３（ａ），図４（ａ）参照）に各別に係合する。外側ケース７の被係合部２９へのカバー本体２７の係合部４０の係合方法は、前記被係合部２９へのルーバー本体６の係合部４０の前述した係合方法と同一である。カバー３は、空調装置がない空調なし仕様の車両に設けられる。
【００４３】
例えば、前記被係合部２９を備えた外側ケース７をインストルメントパネル本体１Ｈの開口１０の周縁部に一体に設けた構造では、カバー３をインストルメントパネル本体１Ｈに取り付ける場合、前記被係合部２９をカバー３で隠す必要がある。
しかしながら、従来のカバー３の組み付け方法（ルーバー５と同じ組み付け方法）ではカバー３の深さによっては、カバー３が、組み付け時にインストルメントパネル本体１Ｈの意匠面に接触するため、カバー３の形状が制限される。また、カバー３の形状に制限があるため、インストルメントパネル本体１Ｈ内に無駄なスペースができる。
これに対して、本発明の構成によれば、カバー３をインストルメントパネル本体１Ｈに対して垂直に組み付けることができる。従って、カバー３の深さを深くしても、組み付け時にカバー３がインストルメントパネル本体１Ｈの意匠面に接触することがなくなる。そして、カバー３の形状の自由度を高めることができる。
【００４４】
［ポケット８の構成の一態様］
図１，図３（ｂ）に示すように、ポケット８は、左右一対の奥行面１１Ｍ，１２Ｍを各別に備えた左右一対の側壁１１，１２と、左右一対の側壁１１，１２の上端部同士を連結する上壁１３とを備えている。さらに、ポケット８は、左右一対の側壁１１，１２の下端部同士を連結する下壁１４と、左右一対の側壁１１，１２、上壁１３、下壁１４の奥側の端部同士を連結する底壁３９を備えている。
【００４５】
また、上壁１３と下壁１４と左側の側壁１１と右側の側壁１２の車室内側の端部から、前記開口１０の外側に対応する方向に上側フランジ８Ｆ１と下側フランジ８Ｆ２と左側フランジ８Ｆ３と右側フランジ８Ｆ４が互いに連なった状態で張り出している。
【００４６】
図２（ｂ）に示すように、上側取り付け部１５Ｊと下側取り付け部１５Ｋは、上側フランジ８Ｆ１と下側フランジ８Ｆ２に各別に設けられている。これらの上側取り付け部１５Ｊと下側取り付け部１５Ｋは、ルーバー５に設けられた上側取り付け部１５Ｊと下側取り付け部１５Ｋと同一の構造であり、その構造についての説明は省略する。
【００４７】
図３（ｂ）に示すように、前記左右一対の被位置決め部３１は左側フランジ８Ｆ３と右側フランジ８Ｆ４に各別に設けられている。左右一対の被位置決め部３１も、ルーバー５に設けられた左右一対の被位置決め部３１と同一の構造であり、その構造についての説明は省略する。ポケット８は、空調装置がない空調なし仕様の車両に設けられている。
【００４８】
以上、本発明の実施形態及び実施例を説明したが、上記実施形態及び実施例は、例として提示しており、発明の範囲を限定することは意図していない。
【符号の説明】
【００４９】
１Ｈ                インストルメントパネル本体
３                  仕様分け部品（カバー）
５                  仕様分け部品（ルーバー）
６                  仕様分け部品本体部（ルーバー本体）
７                  外側ケース
７Ｆ１              上側フランジ（ルーバーの外側ケースの上側フランジ）
７Ｆ２              下側フランジ（ルーバーの外側ケースの下側フランジ）
７Ｆ３              左側フランジ（ルーバーの外側ケースの左側フランジ）
７Ｆ４              右側フランジ（ルーバーの外側ケースの右側フランジ）
８                  仕様分け部品（ポケット）
８Ｆ１              上側フランジ（ポケットの上側フランジ）
８Ｆ２              下側フランジ（ポケットの下側フランジ）
８Ｆ３              左側フランジ（ポケットの左側フランジ）
８Ｆ４              右側フランジ（ポケットの右側フランジ）
９Ｍ                インストルメントパネル本体の面
１０                開口（インストルメントパネル本体の開口）
１１                側壁（ポケットの左側の側壁）
１１Ｍ              奥行面（ポケットの奥行面）
１２                側壁（ポケットの右側の側壁）
１２Ｍ              奥行面（ポケットの奥行面）
１３                上壁（ポケットの上壁）    
１４                下壁（ポケットの下壁）
１５Ｊ              上側取り付け部
１５Ｋ              下側取り付け部
１６Ｊ              上側被取り付け部
１６Ｋ              下側被取り付け部
１９                位置決め手段
２０                側壁（ルーバーの外側ケースの左側の側壁）
２０Ｍ              奥行面（ルーバーの奥行面）
２１                側壁（ルーバーの外側ケースの右側の側壁）
２１Ｍ              奥行面（ルーバーの奥行面）
２２                上壁（ルーバーの外側ケースの上壁）
２３                下壁（ルーバーの外側ケースの下壁）
２９                被係合部
３０                位置決め部
３１                被位置決め部
３６                側部（仕様分け部品本体部の側部）
３７                側部（仕様分け部品本体部の側部）
３７Ｍ              側面（仕様分け部品本体部の側部の側面）
３７Ｍ１            側面の一端
４０                係合部
Ｆｒ                車両前方側
Ｒ                  回転軌跡
【図１】
2018024274.tif 000003
【図２】
2018024274.tif 000004
【図３】
2018024274.tif 000005
【図４】
2018024274.tif 000006